(57)【要約】      （修正有）【課題】机の作業スペースを損なうことなくパネルを設置することができる構造を提供する。【解決手段】机１００天板の縁部に長辺用パネル支持部材１０および短辺用パネル支持部材１２を装着し、これらの支持部材１０、１２の何れかにパネルを装着する。装着されたパネルは机１００の天板の縁部より外側に位置するため、天板の作業スペースはパネルを設置する前後で変わらず、パネル設置後に作業性が損なわれることはない。パネル用溝１６は、長辺用パネル支持部材１０および短辺用パネル支持部材１２の上部に設けられ、部材の全長にわたって、直線状に形成される。【選択図】図１
0003232500.tif 000002
【実用新案登録請求の範囲】
【請求項１】
机の天板の縁部に設置する飛沫飛散防止用パネル構造であって、
隣接する人との間に仕切りを形成するパネルと、
前記パネルの縁部を挿着するパネル用溝と前記机の天板の縁部を挿着する天板用溝とを有するパネル支持部材、を備える、
飛沫飛散防止用パネル構造。
【請求項２】
２個の前記パネル支持部材と１枚の前記パネルとを一組とし、
前記２個のパネル支持部材は、前記机の天板の短い方の縁部より僅かに長い短辺用パネル支持部材と前記机の天板の長い方の縁部よりわずかに短い長辺用パネル支持部材とにより構成され、
前記１枚のパネルは、前記短辺用パネル支持部材の前記パネル用溝に相当する長さを有する短辺と、前記長辺用パネル支持部材の前記パネル用溝に相当する長さを有する長辺を有する矩形の透明板により構成される、
請求項１に記載の飛沫飛散防止用パネル構造。
【請求項３】
前記パネル支持部材に、天板用溝に貫通するネジ穴が設けられている、
請求項１または２に記載の飛沫飛散防止用パネル構造。
【考案の詳細な説明】
【技術分野】
【０００１】
本考案は、学校用の机に設置し、近接して着席する児童や生徒の間に仕切りを形成することにより、飛沫の飛散を防止するためのパネルに関する。
【背景技術】
【０００２】
新型コロナウイルス感染症（COVID-19）への対策としては、飛沫の飛散を防止することが有効であると指摘されている。そのため、人が近接して着席するデスクやテーブルには、人と人との間にパネル等の間仕切りを設置することが推奨されている。これに関連して、既にいくつかの飛沫飛散防止用パネルが提案されている（特許文献１参照）。
【先行技術文献】
【特許文献】
【０００３】
【特許文献１】実用新案登録第３２２９９８８号公報
【考案の概要】
【考案が解決しようとする課題】
【０００４】
しかし、特許文献１に開示されているようにデスクの天板の上面にパネルを設置する場合、天板の広さに余裕がある場合であればよいが、例えば児童や生徒が学校で使用する机の場合、天板は教科書やノートを置くための必要最小限の大きさであることが多く、パネルを設置すると十分な作業スペースを確保することができなくなり、学習の効率が下がるなどの不具合が生じるおそれがある。そこで、机の作業スペースを損なうことなくパネルを設置することができる構造を提供することが、本考案が解決しようとする課題である。
【課題を解決するための手段】
【０００５】
本考案の態様は、机の天板の縁部に設置する飛沫飛散防止用パネル構造であって、隣接する人との間に仕切りを形成するパネルと、前記パネルの縁部を挿着するパネル用溝と前記机の天板の縁部を挿着する天板用溝とを有するパネル支持部材を備える、飛沫飛散防止用パネル構造である。
【０００６】
また、２個の前記パネル支持部材と１枚の前記パネルとを一組とし、前記２個のパネル支持部材は、前記机の天板の短い方の縁部より僅かに長い短辺用パネル支持部材と前記机の天板の長い方の縁部よりわずかに短い長辺用パネル支持部材とにより構成され、前記１枚のパネルは、前記短辺用パネル支持部材の前記パネル用溝に相当する長さを有する短辺と、前記長辺用パネル支持部材の前記パネル用溝に相当する長さを有する長辺を有する矩形の透明板により構成される、飛沫飛散防止用パネル構造であってもよい。
【０００７】
また、前記パネル支持部材に天板用溝に貫通するネジ穴が設けられている飛沫飛散防止用パネル構造であってもよい。
【考案の効果】
【０００８】
本考案は、飛沫飛散防止用パネルを天板の縁部に設置しているため、パネルを設置する前後で天板の作業スペースは変わらない。従って、パネルを設置したことによる作業性の悪化や学習効率の低下などの不具合は生じない。
【図面の簡単な説明】
【０００９】
【図１】本考案の実施形態の飛沫飛散防止用パネル構造を机の天板に装着した様子を示す図
【図２】本考案の実施形態のパネル支持部材とパネル、机の天板の関係を示す図
【図３】本考案の実施形態のパネルの構造を示す図
【図４】本考案の実施形態の飛沫飛散防止用パネル構造の使用形態を示す図
【考案を実施するための形態】
【００１０】
以下、本考案の実施の形態について、添付した図面を参照しながら説明する。図１は本考案の実施形態の飛沫飛散防止用パネル構造を机の天板に装着した様子を示す図である。図２は本考案の実施形態のパネル支持部材とパネル、机の天板の関係を示す図である。図３は本考案の実施形態のパネルの構造を示す図である。図４は本考案の実施形態の飛沫飛散防止用パネル構造の使用形態を示す図である。
【００１１】
〔飛沫飛散防止用パネル構造の構成について〕
図１において、机１００は多くの小学校で採用されている標準的な机であり、天板の幅は600mm、奥行きは400mm、厚さは20mmである。本実施形態の飛沫飛散防止用パネル構造は机１００に装着するのに適した寸法に形成されている。机１００の天板の縁部の奥側と左側には、飛沫飛散防止用パネル構造を構成する長辺用パネル支持部材１０および短辺用パネル支持部材１２が装着されている。
【００１２】
長辺用パネル支持部材１０および短辺用パネル支持部材１２は、木の角材を所定の長さおよび形状に加工したものである。長辺用パネル支持部材１０の全長は天板の幅より僅かに短く、短辺用パネル支持部材１２の全長は天板の奥行きより僅かに長くなるように形成されている。本実施形態において、長辺用パネル支持部材１０の全長は592mmであり、短辺用パネル支持部材１２の全長は421mmである。
【００１３】
長辺用パネル支持部材１０および短辺用パネル支持部材１２は、図２に示すように断面が矩形である。支持部材の上部と側部にはそれぞれ凹状の溝が形成されている。パネル用溝１６は、長辺用パネル支持部材１０および短辺用パネル支持部材１２の上部に設けられ、部材の全長にわたって直線状に形成されている。溝の幅はパネルの厚さと同じか僅かに大きい程度である。パネル用溝１６にパネルの下側の縁部を挿入して装着する。
【００１４】
図３において、パネル１４はポリカーボネート樹脂製の矩形の板状体である。本実施形態において、パネル１４の長辺の長さは590mm、短辺の長さは390mm、厚さは3mmである。パネル１４の四隅には滑り止め２０が設けられている。パネル１４の不使用時に机１００の上に寝せて保管する場合、滑り止め２０があることによりパネル１４の落下事故を未然に防止することができる。またパネル１４は縦横とも机１００の天板より小さいため、机１００からはみ出すことなく安全に保管することができる。
【００１５】
天板用溝１８は、長辺用パネル支持部材１０および短辺用パネル支持部材１２の側部に設けられ、支持部材の全長にわたって直線状に形成されている。溝の幅は天板の厚さと同じか僅かに大きい程度である。溝の深さは6mmと浅く形成されているため、天板の内側への支持部材の張り出し量を最小限に抑えるとともに、パネルの装着位置を天板の縁部から遠ざけることができる。支持部材には天板用溝１８に貫通するネジ穴２２が設けられている。ネジ穴２２に通したビス２４の先端部を天板の縁部に螺着させることにより支持部材を天板に固定する。天板の奥側の縁部には長辺用パネル支持部材１０を固定し、天板の左側の縁部には短辺用パネル支持部材１２を固定する。
【００１６】
〔飛沫飛散防止用パネル構造の使用方法について〕
小学校では学習の形態に応じて頻繁に机１００の配置換えが行われる。通常の授業では全ての机１００が前後左右に適当な間隔をおいて教壇側に向けて配置されているため、ソーシャルディスタンスが保たれており飛沫感染のおそれは少ない。しかしながら、例えば図４に示すように、給食のときなど４個の机１００を並べて一つの班を構成するような場合、座席が前後左右に近接するため十分なソーシャルディスタンスが保たれない。このような場合にパネル１４を使用して飛沫の飛散を防止する。具体的には、向い合わせに配置された机１００の間にパネル１４を設置するとともに左右の机１００の間にパネル１４を設置する。向かい合わせの机１００の間に設置するパネル１４は、何れか一方の机１００の長辺用パネル支持部材１０に横向きに装着する。左右の机１００の間に設置するパネル１４は、右側に配置された机１００の短辺用パネル支持部材１２に縦向きに装着する。このように装着された４枚のパネル１４は平面視して十字形となり、前後左右に飛沫が飛散するのを防止する役割を果たす。
【００１７】
このように装着されたパネル１４は机１００の天板の縁部より外側に位置する。すなわち、天板の作業スペースはパネルを設置する前後で変わらないため、パネル設置後に作業性が損なわれることはない。
【００１８】
本実施形態では、長辺用パネル支持部材１０および短辺用パネル支持部材１２の幅は29mmであり、そのうち6mmが天板の縁部に被るため、支持部材を装着したことによる天板の外側への張り出し量は23mmとなる。この数値は机１００の幅に対して3.8%、奥行きに対して5.8%と僅少である。従って、飛沫飛散防止用パネル構造を付加したことによる机の取り回しの悪化や隣席との間隔の狭隘化はほとんど問題にならない程度であり、児童や生徒の学習活動に悪影響を与えることはない。
【００１９】
本実施形態では具体的な材質や数値、机の配置を挙げて説明されているが、これは好ましい実施例の一つであるに過ぎず、本考案の技術的範囲を限定するものではない。
【符号の説明】
【００２０】
１０  長辺用パネル支持部材
１２  短辺用パネル支持部材
１４  パネル
１６  パネル用溝
１８  天板用溝
２０  滑り止め
２２  ネジ穴
２４  ビス
１００  机
【図１】
0003232500.tif 000003
【図２】
0003232500.tif 000004
【図３】
0003232500.tif 000005
【図４】
0003232500.tif 000006